(57)【要約】【課題】棚板に設けられる照明器具のケーブル余長部が外部への露出する状態を抑えることのできる陳列棚を提供する。【解決手段】立設される複数の支柱１２ａ、１２ｂと、各支柱に着脱自在に取り付けられる棚板受ブラケット２０ａ、２０ｂと、棚板受ブラケット上に載置される矩形状の棚板３０Ａ（３０Ｂ）とから構成される陳列棚１において、棚板の表面３０ａまたは裏面３０ｂの少なくとも一方に、棚板の１辺に沿って照明器具５０を収容可能な収容溝５３が形成されると共に、該収容溝の端部に、照明器具が備えるケーブル６１の余長部６１ａを収納する収納部１５０が形成されている。【選択図】図３
2018033849.tif 000002
【特許請求の範囲】
【請求項１】
立設される複数の支柱と、
前記各支柱に着脱自在に取り付けられる棚板受ブラケットと、
該棚板受ブラケット上に載置される矩形状の棚板とから構成される陳列棚において、
前記棚板の表面または裏面の少なくとも一方に、該棚板の１辺に沿って照明器具を収容可能な収容溝が形成されると共に、
該収容溝の端部に、前記照明器具が備えるケーブルの余長部を収納する収納部が形成されていることを特徴とする陳列棚。
【請求項２】
前記収納部の底面は、前記収容溝の底面よりも深くなるように形成されていることを特徴とする請求項１に記載の陳列棚。
【請求項３】
前記棚板の端部には、前記ケーブルを外部に引き出すための挿通孔が、前記収納部と連通して設けられていることを特徴とする請求項１または請求項２に記載の陳列棚。
【請求項４】
前記収容溝の底面には、前記棚板の内側斜め方向に向かう傾斜面が長手方向に沿って形成され、
前記収容溝に、前記傾斜面を有する底面に沿って棒状または平板状の照明器具が配設されることを特徴とする請求項１から請求項３の何れか１項に記載の陳列棚。
【請求項５】
前記照明器具の下面には、磁石が配置され、
前記収容溝の底面には、前記照明器具を配設した際に、前記磁石と対向する位置に着磁部材が設けられていることを特徴とする請求項１から請求項４の何れか１項に記載の陳列棚。
【請求項６】
前記照明器具の外側には、該照明器具から照射される光線を拡散させる拡散板が配置されることを特徴とする請求項１から請求項５の何れか１項に記載の陳列棚。
【請求項７】
前記棚板受ブラケットに前記棚板を係止する樹脂製の係止具をさらに備え、
前記係止具は、
下端側に有って、前記棚板受ブラケットに形成された係合孔に係合される先割れ形状の係合部と、
上端部に有って、前記棚板の裏面に形成されたダボ穴に嵌入される嵌入部と、
前記先割れ形状の係合部と前記嵌入部との間に延設される二股状の中間部と、
を有することを特徴とする請求項１から請求項６の何れか１項に記載の陳列棚。
【請求項８】
前記係止具の前記先割れ形状の係合部上方には、前記棚板受ブラケットに形成された係合孔の縁部と嵌合する嵌合溝が形成されていることを特徴とする請求項７に記載の陳列棚。
【発明の詳細な説明】
【技術分野】
【０００１】
本実施の形態は、陳列棚に関する。
【背景技術】
【０００２】
従来から、柱に着脱自在に取り付けられる棚板受ブラケットの上に棚板を載置した陳列棚が種々提案されている（特許文献１等参照）。
【０００３】
このような陳列棚のなかには、棚板に照明器具を設けて、陳列棚に載置された商品等に照明光を照射するようにしたものがある。
【先行技術文献】
【特許文献】
【０００４】
【特許文献１】特開２００１−１１２５９０号公報
【発明の概要】
【発明が解決しようとする課題】
【０００５】
ところで、棚板に設けられる照明器具は、給電あるいは他の照明器具等との接続に用いるケーブルを備えている。
【０００６】
このようなケーブルは、コンセントやコネクタ等の接続位置や距離に対応できるように余長部を有している。
【０００７】
ところが、従来の棚板に設けられる照明器具では、ケーブル余長部が余った場合に、その余長部を棚板の外部で捩ったり、束ねたりしていたため、その部分が外部に露出し、陳列棚全体の美観を損なうという不都合があった。
【０００８】
また、ケーブル余長部の大半が棚板の外部に露出するため、その露出部が物品等に接触するなどして、ケーブルの芯線に断線を生じる虞があった。
【０００９】
本実施の形態は、棚板に設けられる照明器具のケーブル余長部が外部への露出する状態を抑えることのできる陳列棚を提供する。
【課題を解決するための手段】
【００１０】
本実施の形態の一態様によれば、立設される複数の支柱と、前記各支柱に着脱自在に取り付けられる棚板受ブラケットと、該棚板受ブラケット上に載置される矩形状の棚板とから構成される陳列棚において、前記棚板の表面または裏面の少なくとも一方に、該棚板の１辺に沿って照明器具を収容可能な収容溝が形成されると共に、該収容溝の端部に、前記照明器具が備えるケーブルの余長部を収納する収納部が形成されている陳列棚が提供される。
【発明の効果】
【００１１】
本実施の形態によれば、棚板に設けられる照明器具のケーブル余長部が外部への露出する状態を抑えることのできる陳列棚を提供することができる。
【図面の簡単な説明】
【００１２】
【図１】第１の実施の形態に係る陳列棚を組み立てた状態を示す全体斜視図。
【図２】第１の実施の形態（その１）に係る陳列棚の一部を示す分解斜視図。
【図３】第１の実施の形態（その１）に係る陳列棚に用いる棚板の平面図（ａ）、底面図（ｂ）および側面図（ｃ）。
【図４】第１の実施の形態（その１）に係る陳列棚に用いる棚板の側方断面図。
【図５】第１の実施の形態（その１）に係る陳列棚に用いる棚板の一部拡大断面図。
【図６】第１の実施の形態（その２）に係る陳列棚に用いる棚板の平面図（ａ）、底面図（ｂ）および側面図（ｃ）。
【図７】第１の実施の形態（その２）に係る陳列棚に用いる棚板の側方断面図。
【図８】第１の実施の形態（その２）に係る陳列棚に用いる棚板の一部拡大断面図。
【図９】第１の実施の形態に係る陳列棚の組立状態を示す説明図。
【図１０】第１の実施の形態に係る陳列棚に適用される係止具の斜視図。
【図１１】第１の実施の形態に係る陳列棚に適用される係止具の正面図（ａ）、側面図（ｂ）および底面図（ｃ）。
【図１２】第１の実施の形態に係る陳列棚の棚板、棚受けブラケットおよび係止具の係合状態を示す断面図。
【図１３】第２の実施の形態に係る陳列棚を組み立てた状態を示す全体斜視図。
【図１４】第２の実施の形態に係る陳列棚の分解斜視図。
【図１５】第２の実施の形態に係る陳列棚に用いる棚板の平面図（ａ）、底面図（ｂ）および側面図（ｃ）。
【図１６】第２の実施の形態に係る陳列棚に用いる棚板の側方断面図。
【図１７】第２の実施の形態に係る陳列棚の組立状態を示す説明図。
【発明を実施するための形態】
【００１３】
次に、図面を参照して、実施の形態を説明する。以下の図面の記載において、同一又は類似の部分には同一又は類似の符号を付している。
【００１４】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１５】
（第１の実施の形態（その１））
［陳列棚の全体構成］
第１の実施の形態は、例えば、デパートやコンビニエンスストア等の店舗や家庭内において、各種商品や各種物品を棚板上に載置して陳列する陳列棚に関するものである。
【００１６】
図１は、第１の実施の形態に係る陳列棚１Ａを組み立てた状態を示す全体斜視図、図２は、第１の実施の形態（その１）に係る陳列棚１Ａの分解斜視図である。
【００１７】
なお、図１に示す陳列棚１Ａは、２個の陳列棚１Ａａと１Ａｂを横方向に接続して構成されている。
【００１８】
各陳列棚１Ａａ、１Ａｂは、それぞれ金属製の台座１０を備え、各台座１０上には、最下段の陳列部を構成する陳列台１１が載置されている。
【００１９】
台座１０には、支柱１２ａ〜１２ｃが立設され、支柱１２ａと１２ｂとの間、支柱１２ｂと１２ｃとの間には、それぞれ壁板４０が配置されている。
【００２０】
図１に示すように、各支柱１２ａ〜１２ｃの前面側端部には、縦方向に複数対の係止孔１５が形成されている。
【００２１】
各支柱１２ａ〜１２ｃにおいて、所望の高さに位置する係止孔１５を選択して、棚板受ブラケット２０ａが取り付けられている。
【００２２】
各支柱１２ａ〜１２ｃに取付けられた棚板受ブラケット２０ａ上には、中段には矩形状の棚板３５Ａが載置され、上段には矩形状の棚板３５Ｂが載置されて固定されている。
【００２３】
棚板３５Ａは、例えば木材で構成されている。各棚板３５Ａの表面３５ａ１には、図２に示すように、棚板３５Ａの外側の１辺に沿って照明器具５０を収容可能な収容溝５３が形成されている。
【００２４】
各棚板３５Ａの左右端部には、照明器具５０のコネクタ６０およびケーブル６１を外部に引き出すための挿通孔５５が形成されている。
【００２５】
棚板３５Ｂも、棚板３５Ａと同様に例えば木材で構成されている。各棚板３５Ｂの裏面３５ｂ１には、棚板３５Ｂの外側の１辺に沿って照明器具５０を収容可能な収容溝５３が形成されている。
【００２６】
各棚板３５Ｂの左右端部には、照明器具５０のコネクタ６０およびケーブル６１を外部に引き出すための挿通孔５５が形成されている。
【００２７】
このような構成により、図１に示すような取付け状態では、棚板３５Ａの表面３５ａ１側の収容溝５３に収容された照明器具５０によって、棚板３５Ａ上に陳列された商品等に対して、手前側から上方奥側に向けて光を照射することができる。また、棚板３５Ｂの裏面３５ｂ２側の収容溝５３に収容された照明器具５０によって、棚板３５Ａ上に陳列された商品等に対して、手前側から下方奥側に向けて光を照射する事が出来る。
【００２８】
なお、図１では上段、中段とで異なる仕様の棚板を載置しているが、同じ仕様の棚板を載置してもよい。
【００２９】
［照明器具の構成］
図２に示すように、照明器具５０は、並設されたＬＥＤを光源とする棒状または平板状に形成された照明器具本体７２と、照明器具本体７２の外側に配置されて光線を拡散させる拡散板７３とを備える。
【００３０】
なお、照明器具本体７２の両端には、電源等に接続するコネクタ６０およびケーブル６１が設けられている。なお、ケーブル６１の余長部６１ａの収容については後述する。
【００３１】
光源としては、ＬＥＤに限らず、電球や面発光素子等を用いてもよい。また、冷陰極管や蛍光管を用いてもよい。
【００３２】
また、図には現れないが、照明器具本体７２の下面には磁石が配置され、収容溝５３の底面には、照明器具本体７２を配設した際に、磁石と対向する位置に鉄片等で構成される着磁部材７０がネジ７１によって取り付けられている。
【００３３】
これにより、照明器具本体７２を収容溝５３に収容した際に、照明器具本体７２は、磁石と着磁部材７０と間の磁力により、収容溝５３内に固定される。
【００３４】
なお、収容溝５３に照明器具本体７２が収容された状態において、照明器具本体７２の上面側に拡散板７３が載置される。
【００３５】
また、図１に示す例では、前面側に収容溝５３が位置するように、棚板３５Ａが取り付けられている。これにより、照明器具５０からの光を上方側に照射することができる。
【００３６】
［棚板の構成］
図３〜図５を参照して、棚板３５Ａの構成について説明する。
【００３７】
図３（ａ）は、本実施の形態に係る陳列棚１Ａに用いる棚板３５Ａの平面図、図３（ｂ）はその底面図、図３（ｃ）は側面図である。また、図４は、本実施の形態に係る陳列棚１Ａに用いる棚板３５Ａの側方断面図、図５は、棚板３５Ａの一部拡大断面図である。
【００３８】
図３（ａ）に示すように、棚板３５Ａの表面３５ａ１側には、長辺側の一辺に沿って照明器具５０を収容可能な収容溝５３が形成されている。なお、収容溝５３の上面側には、拡散板７３が嵌められる。また、図示は省略するが、収容溝５３に代えて、短辺側の１辺または２辺に沿って照明器具の収容溝を形成するようにしてもよい。
【００３９】
収容溝５３の左右端部には、照明器具５０が備えるケーブル６１の余長部６１ａ（例えば、図２において棚板３５Ａの外部に露出しているケーブル６１の全部または一部）を収納する収納部１５０が形成されている。
【００４０】
なお、収納部１５０の底面１５０ａは、収容溝５３の底面５３ａよりも深くなるように形成するとよい。
【００４１】
これにより、照明器具５０が備えるケーブル６１の余長部６１ａを巻回した状態、或いは束ねた状態で、収納部１５０に収納することができる。したがって、棚板３５Ａに設けられる照明器具５０のケーブル余長部６１ａが外部への露出する状態を抑えることができ、陳列棚１Ａ全体の美観を保ち、またケーブル６１の断線を抑制することができる。
【００４２】
また、棚板３５Ａの裏面３５ｂ１側の短辺側には、後述する係止具を嵌入可能な複数のダボ穴８０が穿設されている。
【００４３】
図３（ｂ）および図３（ｃ）に示すように、棚板３５Ａの裏面３０ｂ１の隅部および棚板３５Ａの左右端部には、収容溝５３に連通して、照明器具５０のコネクタ６０およびケーブル６１を外部に引き出すための挿通孔５５、５６が形成されている。
【００４４】
また、図４および図５に示すように、収容溝５３の各底面には、棚板３５Ａの内側斜め方向に向かう傾斜面３２が長手方向に沿って形成されている。
【００４５】
なお、傾斜面３２の傾斜角は、例えば２５度程度とされる。
【００４６】
そして、収容溝５３には、傾斜面３２を有する底面に沿って棒状または平板状の照明器具５０が配設される。
【００４７】
なお、図には現れないが、照明器具本体７２の下面には磁石が配置され、収容溝５３の底面（傾斜面３２）には、照明器具本体７２を配設した際に、磁石と対向する位置に鉄片等で構成される着磁部材７０が取り付けられている。
【００４８】
これにより、照明器具本体７２を収容溝５３に収容した際に、照明器具本体７２は、磁石と着磁部材７０と間の磁力により、収容溝５３内に固定される。
【００４９】
また、図５に示すように、収容溝５３の上端部には、拡散板７３の係止部３１が形成されており、この係止部３１によって照明器具本体７２の上方に拡散板７３が保持される。      
【００５０】
拡散板７３を設ける事によって、点灯時に照明器具５０から照射される光が拡散板７３で拡散されるとともに、照明器具本体７２が直接視認できないような眼隠しとしての効果を有する。
【００５１】
このような構成により、棚板３５Ａを用いた場合には、棚板３５Ａ上に載置された商品等に外側から奥側に向かって光を照射することができる。
【００５２】
（第１の実施の形態（その２））
図６から図８を参照して第１の実施の形態（その２）に係る陳列棚１Ａに用いる棚板３５Ｂの構成について説明する。
【００５３】
図６は、第１の実施の形態（その２）に係る陳列棚に用いる棚板の平面図（ａ）、底面図（ｂ）および側面図（ｃ）、図７は、第１の実施の形態（その２）に係る陳列棚に用いる棚板の側方断面図、図８は、第１の実施の形態（その２）に係る陳列棚に用いる棚板の一部拡大断面図である。
【００５４】
なお、第１の実施の形態（その１）に係る陳列棚１Ａに用いる棚板３５Ａと同一の構成については、同一符号を付して詳細な説明については省略する。
【００５５】
図６（ａ）に示すように、棚板３５Ｂの裏面３０ｂ２側には、長辺側の一辺に沿って照明器具５０を収容可能な収容溝５３が形成されている。なお、棚板３５Ｂでは、第１の実施の形態（その１）に係る陳列棚１Ａに用いる棚板３５Ａに設けられていた拡散板は省略されている。
【００５６】
また、図示は省略するが、収容溝５３に代えて、短辺側の１辺または２辺に沿って照明器具の収容溝を形成するようにしてもよい。
【００５７】
収容溝５３の左右端部には、照明器具５０が備えるケーブル６１の余長部６１ａを収納する収納部１５０が形成されている。
【００５８】
なお、収納部１５０の底面１５０ａは、収容溝５３の底面５３ａよりも深くなるように形成するとよい。
【００５９】
これにより、照明器具５０が備えるケーブル６１の余長部６１ａを巻回した状態、或いは束ねた状態で、収納部１５０に収納することができる。したがって、棚板３５Ｂに設けられる照明器具５０のケーブル余長部６１ａが外部への露出する状態を抑えることができ、陳列棚１Ａ全体の美観を保ち、またケーブル６１の断線を抑制することができる。
【００６０】
また、棚板３５Ｂの裏面３０ｂ２の短辺側には、後述する係止具を嵌入可能な複数のダボ穴８０が穿設されている。
【００６１】
また、図７および図８に示すように、収容溝５３の各底面には、棚板３５Ｂの内側斜め方向に向かう傾斜面３２が長手方向に沿って形成されている。
【００６２】
なお、傾斜面３２の傾斜角は、例えば２５度程度とされる。
【００６３】
そして、収容溝５３には、傾斜面３２を有する底面に沿って棒状または平板状の照明器具５０が配設される。
【００６４】
なお、図には現れないが、照明器具本体７２の下面には磁石が配置され、収容溝５３の底面（傾斜面３２）には、照明器具本体７２を配設した際に、磁石と対向する位置に鉄片等で構成される着磁部材７０が取り付けられている。
【００６５】
これにより、照明器具本体７２を収容溝５３に収容した際に、照明器具本体７２は、磁石と着磁部材７０と間の磁力により、収容溝５３内に固定される。
【００６６】
このような構成により、棚板３５Ｂを用いた場合には、棚板３５Ｂの下方の段に載置された商品等に外側から光を照射することができる。
【００６７】
［係止具の構成等について］
図９〜図１２を参照して、棚板受ブラケット２０ａ（２０ｂ）に棚板３５Ａ（３５Ｂ）を係止する樹脂製の係止具１００の構成等について説明する。
【００６８】
図９は、本実施の形態に係る陳列棚１Ａの組立状態を示す説明図、図１０は、陳列棚１Ａに適用される係止具１００の斜視図、図１１（ａ）は、係止具１００の正面図、図１１（ｂ）は側面図、図１１（ｃ）は、底面図である。
【００６９】
また、図１２は、本実施の形態に係る陳列棚１Ａの棚板３５Ａ（３５Ｂ）、棚受けブラケット２０ａ（２０ｂ）および係止具１００の係合状態を示す断面図である。
【００７０】
図１０および図１１に示すように、係止具１００は、下端側に有って、棚板受ブラケット２０ａ（２０ｂ）に形成された係合孔２３（図９等参照）に係合される先割れ形状の係合部１０２ａ、１０２ｂと、上端部に有って、棚板３５Ａ（３５Ｂ）の裏面３５ｂ１、３５ｂ２に形成されたダボ穴８０に嵌入される嵌入部１０１と、先割れ形状の係合部１０２ａ、１０２ｂと嵌入部１０１との間に延設される二股状の中間部１０５ａ、１０５ｂとを有する。
【００７１】
また、係止具１００の先割れ形状の係合部１０２ａ、１０２ｂの上方には、棚板受ブラケット２０ａ（２０ｂ）に形成された係合孔２３の縁部と嵌合する嵌合溝１０４が形成されている。
【００７２】
なお、図１０および図１１（ａ）に示すように、二股状の中間部１０５ａ、１０５ｂの上方には円弧部１０６が形成されている。これにより、係止具１００を棚板受ブラケット２０ａ（２０ｂ）に形成された係合孔２３に係合させる際に、中間部１０５ａ、１０５ｂおよび先割れ形状の係合部１０２ａ、１０２ｂが内側に撓み易くなっている。
【００７３】
また、係止具１００の各部は、比較的安価な樹脂により一体的に成形されている。したがって、金属製の係止具に比して、低コストで作成することができ、陳列棚１Ａ全体の低廉化に資することができる。
【００７４】
このような構成の係止具１００を用いて、陳列棚１Ａの棚板３５Ａ（３５Ｂ）と棚受けブラケット２０ａ（２０ｂ）とを係合させるには、図９に示すように、まず、各係止具１００の先割れ形状の係合部１０２ａ、１０２ｂを棚板受ブラケット２０ａ（２０ｂ）に形成された各係合孔２３に差し込んで嵌合させる。
【００７５】
これにより、図１２に示すように、棚板受ブラケット２０ａ（２０ｂ）に形成された係合孔２３の縁部と、係止具１００の嵌合溝１０４とが嵌合して、各係止具１００が棚板受ブラケット２０ａ（２０ｂ）に保持された状態となる。
【００７６】
次いで、図９に示すように、棚板３５Ａ（３５Ｂ）の裏面３５ｂ１、３５ｂ２に形成された各ダボ穴８０と、棚板受ブラケット２０ａ（２０ｂ）に保持されている各係止具１００の嵌入部１０１とを位置合わせする。
【００７７】
そして、棚板３５Ａ（３５Ｂ）を下方側に押圧することにより、各ダボ穴８０内に、各係止具１００の嵌入部１０１が嵌入される。
【００７８】
これにより、図１２に示すような状態で、各係止具１００を介して、棚板受ブラケット２０ａ（２０ｂ）上に、棚板３５Ａ（３５Ｂ）が固定される。
【００７９】
（第２の実施の形態）
［陳列棚の全体構成］
図１３および図１４を参照して、第２の実施の形態に係る陳列棚１Ｂの全体構成について説明する。
【００８０】
図１３は、本実施の形態に係る陳列棚１Ｂを組み立てた状態を示す全体斜視図、図１４は、本実施の形態に係る陳列棚１Ｂの分解斜視図である。
【００８１】
図１３に示す陳列棚１Ｂでは、金属製の台座１０の左右端部に、二本の支柱１２ａ、１２ｂが立設されている。
【００８２】
なお、図１３および図１４に示す例では、支柱１２ａ、１２ｂ間に、壁板４０が設けられている。
【００８３】
また、図１３に示すように、台座１０上には、最下段の陳列部を構成する陳列台１１が載置されている。
【００８４】
各支柱１２ａ、１２ｂの前面側端部と背面側端部には、縦方向に複数対の係止孔１５が形成されている。
【００８５】
各支柱１２ａ、１２ｂにおいて、所望の高さに位置する係止孔１５を選択して、棚板受ブラケット２０ａ（２０ｂ）が取り付けられている。
【００８６】
各支柱１２ａ、１２ｂに取付けられた棚板受ブラケット２０ａ（２０ｂ）上には、矩形状の棚板３０Ａ（３０Ｂ）が載置されて固定されている。
【００８７】
棚板３０Ａと棚板３０Ｂは、同じ構成を有しており、取付け方向が、水平方向に１８０度変更されている。これにより、展示態様に応じて、照明光の照射方向を下方側、或いは上方側の何れかから容易に選択して切り換えることが可能となる。詳細については後述する。
【００８８】
また、図１３に示す例では、各支柱１２ａ、１２ｂの前面側に２段、後面側に１段の棚板３０Ａ（３０Ｂ）が載置されているが、これには限定されず、任意の段数の棚板３０Ａ（３０Ｂ）を所望の高さに設置することができる。
【００８９】
各棚板３０Ａ（３０Ｂ）は、例えば木材で構成され、各棚板３０Ａ（３０Ｂ）の表面３０ａには、図１４に示すように、棚板３０Ａ（３０Ｂ）の外側の１辺に沿って照明器具５０を収容可能な第１の収容溝５１が形成されている。
【００９０】
また、図１３および図１４には現れないが、各棚板３０Ａ（３０Ｂ）の裏面３０ｂには、第１の収容溝５１と対向する側の１辺に沿って照明器具５０を収容可能な第２の収容溝５２が形成されている（図１５参照）。
【００９１】
なお、各棚板３０Ａ（３０Ｂ）の左右端部には、照明器具５０のコネクタ６０およびケーブル６１を外部に引き出すための挿通孔５５が形成されている。
【００９２】
このような構成により、図１３に示す棚板３０Ａのような取付け状態では、表面３０ａ側の第１の収容溝５１に収容された照明器具５０によって、棚板３０Ａ上に陳列された商品等に対して、手前側から上方に向けて光を照射することができる。
【００９３】
一方、図１３に示す棚板３０Ｂのような取付け状態では、裏面３０ｂ側の第２の収容溝５２に収容された照明器具５０（図１６等参照）によって、例えば棚板３０Ｂの下方に陳列された商品等に対して、奥側（壁板側）から下方に向けて光を照射することができる。
【００９４】
なお、照明器具５０の構成は、第１の実施の形態に係る陳列棚１Ａと同様であるので、重複した説明は割愛する。
【００９５】
［棚板の構成］
図１５〜図１７を参照して、棚板３０Ａ（３０Ｂ）の構成について説明する。
【００９６】
なお、棚板３０Ａ、３０Ｂは、同一の構成であり、棚板受ブラケット２０ａ、２０ｂへの取付けの向きが水平方向に１８０度異なるだけである。
【００９７】
図１５（ａ）は、実施の形態に係る陳列棚１Ｂに用いる棚板３０Ａ（３０Ｂ）の平面図、図１５（ｂ）はその底面図、図１５（ｃ）は側面図である。また、図１６は、実施の形態に係る陳列棚１に用いる棚板３０Ａ（３０Ｂ）の側方断面図、図１７は、棚板３０Ａ（３０Ｂ）の一部拡大断面図である。
【００９８】
図１５（ａ）に示すように、棚板３０Ａ（３０Ｂ）の表面３０ａ側には、長辺側の一辺に沿って照明器具５０を収容可能な第１の収容溝５１が形成されている。なお、第１の収容溝５１の上面側には、拡散板７３が嵌められている。また、図示は省略するが、第１の収容溝５１に代えて、短辺側の１辺または２辺に沿って照明器具の収容溝を形成するようにしてもよい。
【００９９】
図１５（ｂ）に示すように、棚板３０Ａ（３０Ｂ）の裏面３０ｂ側には、第１の収容溝５１と対向する側の１辺に沿って照明器具５０を収容可能な第２の収容溝５２が形成されている。
【０１００】
なお、図示は省略するが、第２の収容溝５２に代えて、短辺側の１辺または２辺に沿って照明器具の収容溝を形成するようにしてもよい。
【０１０１】
図１５（ｂ）に示すように、第２の収容溝５２の底面には、着磁部材７０がネジ７２で固定されている。
【０１０２】
また、棚板３０Ａ（３０Ｂ）の短辺側には、後述する係止具を嵌入可能な複数のダボ穴８０が穿設されている。
【０１０３】
図１５（ｂ）および図１５（ｃ）に示すように、棚板３０Ａ（３０Ｂ）の裏面３０ｂの隅部および棚板３０Ａ（３０Ｂ）の左右端部には、第１の収容溝５１または第２の収容溝５２に連通して、照明器具５０のコネクタ６０およびケーブル６１を外部に引き出すための挿通孔５５、５６が形成されている。
【０１０４】
また、図１６および図１７に示すように、第１の収容溝５１および第２の収容溝５２の各底面には、棚板３０Ａ（３０Ｂ）の内側斜め方向に向かう傾斜面３２が長手方向に沿って形成されている。
【０１０５】
なお、傾斜面３２の傾斜角は、例えば２５度程度とされる。
【０１０６】
そして、第１の収容溝５１および第２の収容溝５２の少なくとも一方に、傾斜面３２を有する底面に沿って棒状または平板状の照明器具５０が配設される。図１６および図１７に示す例では、第１の収容溝５１のみに照明器具５０が配設されているが、これに限らず、第１の収容溝５１および第２の収容溝５２の双方に照明器具５０を配設してもよいし、或いは第２の収容溝５２のみに照明器具５０を配設するようにしてもよい。
【０１０７】
なお、図には現れないが、照明器具本体７２の下面には磁石が配置され、第１の収容溝５１および第２の収容溝５２の各底面（傾斜面３２）には、照明器具本体７２を配設した際に、磁石と対向する位置に鉄片等で構成される着磁部材７０が取り付けられている。
【０１０８】
これにより、照明器具本体７２を第１の収容溝５１および第２の収容溝５２に収容した際に、照明器具本体７２は、磁石と着磁部材７０と間の磁力により、第１の収容溝５１内および第２の収容溝５２内に固定される。
【０１０９】
また、図１７に示すように、第１の収容溝５１の上端部には、拡散板７３の係止部３１が形成されており、この係止部３１によって照明器具本体７２の上方に拡散板７３が保持される。
【０１１０】
なお、第２の実施の形態に係る陳列棚１Ｂにおいても、第１の実施の形態に係る陳列棚１Ａと同様の係止具１００が用いられる。
【０１１１】
また、第２の実施の形態に係る陳列棚１Ｂにおいても、第１の実施の形態に係る陳列棚１Ａと同様に、ケーブル６１の余長部６１ａを収納する収納部１５０が形成される（図１５（ｂ）、図１７参照）。
【０１１２】
これにより、照明器具５０が備えるケーブル６１の余長部６１ａを巻回した状態、或いは束ねた状態で、収納部１５０に収納することができる。したがって、棚板３０Ａ（３０Ｂ）に設けられる照明器具５０のケーブル余長部６１ａが外部への露出する状態を抑えることができ、陳列棚１Ｂ全体の美観を保ち、またケーブル６１の断線を抑制することができる。
【０１１３】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【０１１４】
このように、本実施の形態はここでは記載していない様々な実施の形態などを含む。
【産業上の利用可能性】
【０１１５】
本実施の形態の陳列棚は、デパートやコンビニエンスストア等の店舗や家庭内において、各種物品の陳列に適用できる。
【符号の説明】
【０１１６】
１Ａ（１Ａａ、１Ａｂ）、１Ｂ…陳列棚
１２ａ、１２ｂ…支柱
１５…係止孔
２０ａ、２０ｂ…棚板受ブラケット
２３…係合孔
３０Ａ、３０Ｂ、３５Ａ、３５Ｂ…棚板
３０ａ、３５ａ１、３５ａ２…表面
３０ｂ、３５ｂ１、３５ｂ２…裏面
３１…係止部
３２…傾斜
４０…壁板
５０…照明器具
５１…第１の収容溝
５２…第２の収容溝
５３…収容溝
５５、５６…挿通孔
６１…ケーブル
６１…ケーブル余長部（余長部）
７０…着磁部材
７２…照明器具本体
７３…拡散板
８０…ダボ穴
１００…係止具
１０１…嵌入部
１０２ａ、２０２ｂ…係合部
１０４…嵌合溝
１０５ａ、２０５ｂ…中間部
１０６…円弧部
１５０…収納部
【図１】
2018033849.tif 000003
【図２】
2018033849.tif 000004
【図３】
2018033849.tif 000005
【図４】
2018033849.tif 000006
【図５】
2018033849.tif 000007
【図６】
2018033849.tif 000008
【図７】
2018033849.tif 000009
【図８】
2018033849.tif 000010
【図９】
2018033849.tif 000011
【図１０】
2018033849.tif 000012
【図１１】
2018033849.tif 000013
【図１２】
2018033849.tif 000014
【図１３】
2018033849.tif 000015
【図１４】
2018033849.tif 000016
【図１５】
2018033849.tif 000017
【図１６】
2018033849.tif 000018
【図１７】
2018033849.tif 000019